(57)【特許請求の範囲】
【請求項１】
各機器管理装置の通信方式に従って各機器管理装置とのデータ通信を行う手段を備え、各機器管理装置が管理している機器を各機器管理装置からの送信データに基づいて管理する集中管理装置であって、
機器毎に定められた定時送信時刻を記憶している時刻記憶手段と、
各機器管理装置の通信方式に基づいて設定された、定時送信時刻を過ぎてもデータ送信が無い機器を未受信機器として検出するまでの許容時間を、機器毎又はその機器管理装置毎に記憶している許容時間記憶手段と、
機器毎に、その機器に対応する前記許容時間に基づいて、定められた定時送信時刻から前記許容時間を過ぎてもデータ送信が無い機器を未受信機器として検出する未受信機器検出手段と、
を有することを特徴とする集中管理装置。
【請求項２】
請求項１に於いて、
さらに、機器毎に次回の定時送信時刻を定めて当該機器を管理している機器管理装置に通知する時刻指定手段を有し、
前記許容時間記憶手段は、各機器をその機器管理装置に対応付けて記憶し、且つ、各機器管理装置とその通信方式とを対応付けて記憶し、且つ、各通信方式とその許容時間とを対応付けて記憶しており、
前記未受信機器検出手段は、機器に対応する機器管理装置に対応する通信方式に対応する許容時間を、当該機器に定められた次回の定時送信時刻に加算した時刻が、現在時刻以前であるか否かに応じて未受信機器か否かを検出する、
ことを特徴とする集中管理装置。
【請求項３】
請求項１に於いて、
前記通信方式が、機器管理装置と集中管理装置とを通信回線で接続した状態でデータを送受信する方式と、一方が発信したパケットデータを複数のコンピュータを介して転送して他方へ届ける方式と、の２種類である、
ことを特徴とする集中管理装置。
【請求項４】
請求項１に於いて、
さらに、機器毎に次回の定時送信時刻を定めて当該機器を管理している機器管理装置に通知する時刻指定手段を有し、
該時刻指定手段は、前記許容時間を長く設定された機器については短く設定された機器よりも早期の日時刻を次回の定時送信時刻として割り当てる、
ことを特徴とする集中管理装置。
【発明の詳細な説明】
【０００１】
【発明の属する技術分野】
本発明は、各機器管理装置が管理している機器（画像形成装置等）を、各機器管理装置とのデータ通信を介して管理する集中管理装置に関する。
【０００２】
【従来の技術】
画像形成装置等に該画像形成装置等のデータ収集等を行う管理用の機器管理装置を一体又は別体に設け、センターの集中管理装置が複数の機器管理装置とそれぞれデータ通信を行うことにより、各機器管理装置が管理している機器（画像形成装置等）を、センターで一括管理する方式が行われている。
【０００３】
上記の方式では、多数の機器管理装置がセンターの集中管理装置とデータ通信を行うため、その輻輳を避けるべく、機器管理装置とセンターとが通信する時間を、重複を避けて各機器管理装置に割り当てている。また、上記の方式では、収集したデータを定期的にセンターへ送るばかりでなく、トラブルが発生した時にも通信を行うため、センターが機器管理装置を順番に呼び出すのではなく、機器管理装置がセンターを呼び出すように構成しており、割り当てた時間を過ぎても定時のデータ送信（トラブル以外の通常のデータ送信）の無かった機器管理装置を『未受診』と判定して、何らかのトラブルが発生したと見做し、電話での問い合わせ等の対応を行っている。
【０００４】
また、上記の方式で採用され得る通信手段としては、電話やファクシミリ等のように両端末間（機器管理装置とセンターの集中管理装置）の通信回線の接続を確保した状態でデータを送受信する方式と、一方が発信した電子メール（インターネットメール（パケットデータ））を複数のコンピュータを介して転送して他方へ届ける方式とがある。
【０００５】
【発明が解決しようとする課題】
前記の方式に於いて割り当てた時間を過ぎても定時のデータ送信の無かった機器管理装置を『未受信』と判定する場合、割り当てた時間を過ぎると直ちに『未受信』と判定するのではなく、割り当てた時間から或る許容時間が経過してもデータ送信が無かった場合に『未受信』と判定している。つまり、発信側の通信線が他の機器により占有されている場合や受信側の輻輳等を考慮して、許容時間が経過しても定時のデータ送信が無かった場合に初めて『未受信』と判定し、許容時間内にデータ送信が有った場合には『正常』と判定している。
【０００６】
ところが、通信手段としては、前述のように、両端末を通信回線で接続してデータ通信を行う方式と、一方が発信した電子メールを複数のコンピュータを介してバケツリレー式に転送して他方へ届ける方式とがあり、両者は、定時のデータが遅延する場合の原因に差異がある。つまり、前者では回線が他の機器により占有されていたために接続できなかったことが原因であり、接続された後はデータが確実にセンターに届くのに対して、後者では、送信が定時に行われたとしても途中のコンピュータのダウン等でセンターでの受信が遅れることがある。
【０００７】
このように異質な２種類の通信手段について、前記の許容時間を同一に設定することは、妥当ではないと考えられる。即ち、前者の特徴を考慮して許容時間を設定すると、後者ではデータ送信が正常に行われたにもかかわらず『未受信』と判定される場合が多くなり、センター側での無駄な対応や、該無駄な対応に起因する混乱が増えると思われる。一方、後者の特徴を考慮して許容時間を設定すると、前者では『未受信』の判定が遅れることが多くなり、その結果、センター側での適切な対応が遅れることが多くなると思われる。
【０００８】
本発明は、多数の機器管理装置とセンターの集中管理装置とが適時に通信を行うことにより各機器管理装置に接続されている機器を集中管理装置が一括管理するシステムに於いて、各機器管理装置と集中管理装置との通信手段として異質な複数種類の通信手段が混在する場合、各機器管理装置との定時の通信の遅れを検出する際の許容時間として、各通信手段の種類に適した許容時間を設定することを目的とする。
【０００９】
【課題を解決するための手段】
請求項１の発明は、各機器管理装置の通信方式に従って各機器管理装置とのデータ通信を行う手段を備え、各機器管理装置が管理している機器を各機器管理装置からの送信データに基づいて管理する集中管理装置であって、機器毎に定められた定時送信時刻を記憶している時刻記憶手段と、各機器管理装置の通信方式に基づいて設定された、定時送信時刻を過ぎてもデータ送信が無い機器を未受信機器として検出するまでの許容時間を、機器毎又はその機器管理装置毎に記憶している許容時間記憶手段と、機器毎に、その機器に対応する前記許容時間に基づいて、定められた定時送信時刻から前記許容時間を過ぎてもデータ送信が無い機器を未受信機器として検出する未受信機器検出手段と、を有することを特徴とする集中管理装置である。
請求項２の発明は、請求項１に於いて、さらに、機器毎に次回の定時送信時刻を定めて当該機器を管理している機器管理装置に通知する時刻指定手段を有し、前記許容時間記憶手段は、各機器をその機器管理装置に対応付けて記憶し、且つ、各機器管理装置とその通信方式とを対応付けて記憶し、且つ、各通信方式とその許容時間とを対応付けて記憶しており、前記未受信機器検出手段は、機器に対応する機器管理装置に対応する通信方式に対応する許容時間を、当該機器に定められた次回の定時送信時刻に加算した時刻が、現在時刻以前であるか否かに応じて未受信機器か否かを検出する、ことを特徴とする集中管理装置である。
請求項３の発明は、請求項１に於いて、前記通信方式が、機器管理装置と集中管理装置とを通信回線で接続した状態でデータを送受信する方式と、一方が発信したパケットデータを複数のコンピュータを介して転送して他方へ届ける方式と、の２種類である、ことを特徴とする集中管理装置である。
請求項４の発明は、請求項１に於いて、さらに、機器毎に次回の定時送信時刻を定めて当該機器を管理している機器管理装置に通知する時刻指定手段を有し、該時刻指定手段は、前記許容時間を長く設定された機器については短く設定された機器よりも早期の日時刻を次回の定時送信時刻として割り当てる、ことを特徴とする集中管理装置である。
【００１０】
【発明の実施の形態】
〔１〕システムの構成．
図１は、多数の複写機管理装置ＤＴ（データターミナル，Data Terminal ，請求項の『機器管理装置』）とセンターの集中管理装置とが、電話回線網又はインターネットを介して適時に通信を行うことにより、各複写機管理装置ＤＴに接続されている複写機（請求項の『機器』）を、集中管理装置が一括管理するシステムの構成を示す説明図である。図１に於いて、タイプＤＴ１の複写機管理装置１は電話回線網を介して通信を行う通信手段を備えた装置であり、タイプＤＴ２の複写機管理装置２はインターネットを介して通信を行う通信手段を備えた装置である。図１では、タイプＤＴ１とタイプＤＴ２の複写機管理装置１，２が各々１つづつ示されているが、実際のシステムでは、両タイプの多数の複写機管理装置が設置される。また、図１では、何れのタイプの複写機管理装置も１台の複写機４にのみ接続されているが、１台の複写機管理装置がＬＡＮを介して複数台の複写機に接続されて複数台の複写機を管理する構成もある。
【００１１】
図２と図３はタイプＤＴ１の複写機管理装置と集中管理装置との接続関係を示すブロック図であり、図４と図５はタイプＤＴ２の複写機管理装置と集中管理装置との接続関係を示すブロック図である。図２と図３に示すように、タイプＤＴ１の複写機管理装置１は、電話回線網と接続するためのモデム５２を内蔵している。また、図４と図５に示すように、タイプＤＴ２の複写機管理装置２は、インターネット経由で電子メール（パケットデータ）を送受信するためのＮＩＣ（ネットワークインターフェースカード）１８を内蔵しており、ＬＡＮを経由し、ファイアウォール３１とルータ３２を介してインターネットに接続されている。一方、図３と図５に示すように、タイプＤＴ１及びタイプＤＴ２の２種類のタイプの複写機管理装置とのデータ通信を行うセンターの集中管理装置９１は、電話回線網と接続するためのモデム７２を内蔵しているとともに、インターネット経由で電子メール（パケットデータ）を送受信するためのＮＩＣ（ネットワークインターフェースカード）９９を内蔵しており、ＬＡＮを経由し、ファイアウォール８１とルータ８２を介してインターネットに接続されている。
【００１２】
〔２〕各装置の構成．
[2-1] 複写機．
複写機４のＣＰＵ４１では、センター側で計算されるコピー請求金額の基礎となるカウンタ（用紙排出回数を示すトータルカウンタ、用紙サイズ別の使用枚数を示す用紙サイズ別カウンタ）、メンテナンス上の目安となるカウンタ（各箇所毎のＪＡＭ回数を示す箇所別ＪＡＭカウンタ、各箇所毎のトラブル回数を示す箇所別トラブルカウンタ、各部品毎の定期メンテナンス実施の目安となるＰＭカウンタ）、の各カウント値がそれぞれ計数され、シリアルＩ／Ｆ４２、及びシリアルＩ／Ｆ１２を介して、データターミナル（タイプＤＴ１の複写機管理装置１の場合と、タイプＤＴ２の複写機管理装置２の場合とがある）のＣＰＵｌｌへ送信される。なお、ＰＭカウンタは、各部品毎の使用回数をそれぞれ計数するカウンタであり、そのカウント値は、例えば、部品交換時期の目安とされる。
【００１３】
また、複写機４では、画像形成プロセスに影響する各種エレメントデータ（例えば、用紙搬送所要時間、感光体ドラムの表面電位、現像剤中のトナー濃度、感光体ドラム露光量、現像バイアス電圧、感光体ドラム上のトナー付着量、帯電器の出力電圧等）が、複写機内部の適所に配設されている各種のセンサ群４５により検出されて、ＣＰＵ４１に取り入れられて処理された後、シリアルＩ／Ｆ４２とシリアルＩ／Ｆ１２とを介して、当該複写機に接続されているデータターミナルのＣＰＵｌｌへ送信される。
【００１４】
[2-2] 複写機管理装置．
複写機管理装置（タイプＤＴ１の場合とタイプＤＴ２の場合がある）は、当該複写機管理装置が管理している複写機から、シリアルＩ／Ｆ４２とシリアルＩ／Ｆ１２とを介して送信されて来るデータを受信して、所定の発信条件（発信フラグがＯＮにセットされる条件：詳細は後述）が満足されると、モデム（タイプＤＴ１の場合）又はＮＩＣ（タイプＤＴ２の場合）を起動して、センター側へ複写機管理用のデータ（前述のエレメントデータやカウントデータ等）を送信等する装置である。
【００１５】
タイプＤＴ１及びタイプＤＴ２の各複写機管理装置のＣＰＵｌｌには、制御プログラムの格納されたＲＯＭ１４、センターの電話番号（タイプＤＴ１の場合）等又はメールアドレス（タイプＤＴ２の場合）等が格納される不揮発性メモリ１６、バッテリーバックアップされた作業用のシステムＲＡＭ１５、バッテリーバックアップされた時計ｌＣ１７が接続されている。
【００１６】
ＣＰＵｌｌは、複写機４のＣＰＵ４１からシリアルｌ／Ｆ４２とシリアルｌ／Ｆ１２とを介して送信されて来るデータを受信して、後述の所定の処理を実行する。また、各種操作スイッチ（プッシュスイッチＰＵＳＨ・ＳＷ２１，４個のディップスイッチ（ＤＩＰ・ＳＷｌ〜ＤＩＰ・ＳＷ４）の操作入力に応じて、所定の動作やモード設定等を行う。ディップスイッチＤＩＰ・ＳＷｌはセンターの電話番号（タイプＤＴ１の場合）又はメールアドレス（タイプＤＴ２の場合）の入力モード、ディップスイッチＤＩＰ・ＳＷ２は当該複写機管理装置の識別用のＩＤ番号（ＤＴＩＤ）の入力モード、ディップスイッチＤＩＰ・ＳＷ３はセンターの識別用のＩＤ番号（センターＩＤ）の入力モード、ディップスイッチＤＩＰ・ＳＷ４は初期設定モードを、それぞれ設定するためのスイッチである。また、プッシュスイッチＰＵＳＨＳＷ２１は、初期発信又はユーザー発信の実行等を指令するためのスイッチである。
【００１７】
シリアルＩ／Ｆ１２から複写機管理装置のＣＰＵ１１へ入力される８ビットデータｂ7 〜ｂ0 の構成を図６（ａ）に示す。即ち、用紙の排出を示す用紙排出コードはビットｂ0 の立ち下がりエッジ（１から０への変化）で表される。ペーパージャムの発生を示すＪＡＭコードは、ビットｂ7 ＝１，且つ，ｂ6 ＝０で表される。また、各種トラブルの発生を示すトラブルコードは、ビットｂ7 ＝１，且つ，ビットｂ6 ＝１で表される。この８ビットデータは周期的に複写機から複写機管理装置へ送信され、また、複写機４にペーパージャムやトラブルが発生した場合にも送信される。
【００１８】
タイプＤＴ１の複写機管理装置では、ＣＰＵｌｌは、モデム５２に対してセンタのモデム７２の呼び出しを指令する機能を有する。これにより、センタのモデム７２との通信回線を接続して、集中管理装置のＣＰＵ９１とのデータ通信を行うことが可能となる。一方、タイプＤＴ２の複写機管理装置では、制御ＣＰＵｌｌは、ＮＩＣ１８に対して集中管理装置のメールアドレスに対してパケットデータ（電子メール）を送信するように指令する機能を有する。ＣＰＵｌｌから集中管理装置のＣＰＵ９１へ送信されるデータの内容は、後述するように、ＯＮにセットされた発信フラグの種類によって定まる。
【００１９】
[2-3] 集中管理装置．
センタに設けられる集中管理装置は、多数のユーザの複写機管理装置と、電話回線網を介して（複写機管理装置がタイプＤＴ１の場合）、又はインターネットを介して（複写機管理装置がタイプＤＴ２の場合）、それぞれ適時にデータを送受信できるように構成されたコンピュータ装置である。その機能の詳細は、後述のフローチャートに即して説明する。
【００２０】
〔３〕システムの動作．
以下、フローチャートを参照して図１のシステムの動作を説明する。
説明に先立ち『オンエッジ』と『オフエッジ』という用語を定義する。スイッチ，センサ，信号等の状態が、オフ状態からオン状態へ変化したときの状態変化を『オンエッジ』と呼ぶ。また、スイッチ，センサ，信号等の状態が、オン状態からオフ状態に変化したときの状態変化を『オフエッジ』と呼ぶと定義する。
【００２１】
[3-1] 複写機での処理．
複写機のＣＰＵ４１での処理を、図６（ｂ）のフローチャートを参照して説明する。ＣＰＵ４１では、電源の投入等により処理が開始される。まず、メモリのクリア、標準モードの設定等の初期設定が行われ（ステップＳ４１）、次に、ステップＳ４３とステップＳ４５の処理が、トラブルが発生しない限り、繰り返して実行される。
【００２２】
ステップＳ４３は各種の入力信号に対する受付処理を一括して示す。入力信号とは、例えば、複写機の操作パネル４０上のキースイッチ群や、複写機内の適所に配設されているセンサ群４５からの入力信号等である。ステップＳ４５は、複写動作等に必要な処理を一括して示す。例えば、給紙制御，走査制御、感光体ドラム制御、現像器制御等の各種作動部群４４の制御である。
【００２３】
搬送不良（ＪＡＭ）、機械の制御・動作不良等のトラブルが発生すると（ステップＳ４７でＹＥＳの場合）、発生したトラブルに対応する信号がＣＰＵｌｌへ送信される（ステップＳ４９）。また、オペレータ等によってトラブルリセットスイッチ４９が操作されると（ステップＳ５１でＹＥＳの場合）、トラブルリセット信号がＣＰＵｌｌへ送信される（ステップＳ５３）。これに対応して、ＣＰＵｌｌでは、後述の処理が実行される。
【００２４】
[3-2] 複写機管理装置での処理の概要．
複写機管理装置（タイプＤＴ１とタイプＤＴ２の場合がある）のＣＰＵ１１での処理の概要を、図７のフローチャートを参照して説明する。
【００２５】
ＣＰＵｌｌでは例えば電源の投入により処理がスタートされる。初期設定モードが設定されている場合（ステップＳｌｌでＹＥＳの場合）は、初期設定処理（ステップＳ１３）が実行され、その後、複写機のＣＰＵ４１へコピー許可信号が送信される（ステップＳ１５）。初期設定モードが設定されていない場合（ステップＳｌｌでＮＯの場合）は、直ちにコピー許可信号が送信される（ステップＳ１５）。次に、ステップＳ１７〜Ｓ３１の処理が繰り返して実行される。
【００２６】
ステップＳ１３，Ｓ１７〜Ｓ３１では、概略、下記の処理が実行される。
（ａ）初期設定処理．
複写機管理装置の処理の開始時点でディップスイッチＤＩＰ・ＳＷ４がＯＮ状態に設定されている場合、すなわち、初期設定モードが設定されている場合（ステップＳｌｌでＹＥＳの場合）に、初期設定処理が実行される。初期設定処理では、センターの電話番号（複写機管理装置がタイプＤＴ１の場合）又はセンターのメールアドレス（複写機管理装置がタイプＤＴ２の場合）、当該複写機管理装置のＩＤ番号（ＤＴＩＤ）、集中管理装置のＩＤ番号（センターＩＤ）の設定と初期発信が行われる。
（ｂ）データ受信．
ＣＰＵ４１から送信されてくる複写機の状態に関する各種データの受信処理が行われる。データの内容は、用紙排出コード、ＪＡＭ・トラブルコード、ＪＡＭ・トラブルカウント値、用紙サイズ別カウント値、ＰＭカウント値、エレメントデータ値である。ＣＰＵｌｌでは、これらのデータについて、常に最新の値が保持される。
（ｃ）緊急発信判定．
後述するように、トラブルデータやトラブル回復データをセンター側へ送信すべきか否かの判定と、その判定結果に基づいて、対応するフラグをオン／オフする処理等が行われる。
（ｄ）締日発信判定．
所定の締日発信時刻になると、締日発信フラグがＯＮにセットされる。これにより、コピー請求金額の計算の基礎とされるトータルカウント値や、用紙サイズ別カウント値がセンターヘ送信される。送信終了後には、センター側から、次回の締日発信日時データが返信されて来る。
（ｅ）定時発信判定．
所定の定時発信時刻になると、定時発信フラグがＯＮにセットされる。これにより、前述の複写機の状態に関する各種データがセンターへ送信される。送信終了後には、センター側から、現在時刻データ、次回の定時発信日時刻データが返信されて来る。
（ｆ）警告発信判定．
後述するように、エレメントデータ、ＪＡＭカウンタのカウント値、ＰＭカウンタのカウント値が、各々所定の閾値と比較される。該比較結果に基づき、警告データや警告解除データをセンターヘ送信すべきか否かが判定される。該判定結果に基づき、対応するフラグをオン／オフする処理等が行われる。
（ｇ）ユーザ発信判定．
初期設定モードでない場合において、プッシュスイッチＰＵＳＨＳＷ２ｌが押下されると、ユーザ発信フラグがＯＮにセットされる。これにより、前述の複写機の状態に関する各種のデータがセンターヘ送信される。
（ｈ）ＰＭ発信判定．
後述するように、部品交換により、そのカウント値が“０”にクリアされたＰＭカウンタのクリア前のカウント値が、センターへ送信される。
（ｉ）通信処理．
いずれかの発信フラグがＯＮにセットされると、センター側との通信処理が実行される。タイプＤＴ１の複写機管理装置では、図１２と図１３の通信処理（後述）によりセンター側との通信回線が接続されて、ＣＰＵ９１とのデータ通信が行われる。タイプＤＴ２の複写機管理装置では、図１４の通信処理（後述）によりＣＰＵ９１への電子メール（パケットデータ）が送信される。
【００２７】
[3-3] 複写機管理装置での各処理の詳細．
複写機管理装置（タイプＤＴ１とタイプＤＴ２の場合がある）のＣＰＵ１１での各処理の詳細を、図８〜図１４のフローチャートを参照して説明する。
【００２８】
[3-3-1] 緊急発信判定．
本処理では、緊急発信、およぴ、緊急回復発信が管理される。
例えば、トラブルフラグがＯＦＦの状態で（ステップＳ１０１でＹＥＳの場合）、複写機からのトラブルコードｂ6 のオンエッジが検出されると（ステップＳ１１１でＹＥＳ場合）、トラブルフラグと緊急発信フラグがそれぞれＯＮにセットされる（ステップＳｌ１３）。
【００２９】
また、トラブルフラグがＯＮの状態で（ステップＳ１０１でＮＯの場合）、複写機からの用紙排出コードがｂ0 のオフエッジが検出されると（ステップＳ１２１でＹＥＳの場合）、トラブルフラグがＯＦＦにリセットされ、緊急回復発信フラグがＯＮにセットされる（ステップＳ１２３）。このステップＳ１２１〜Ｓ１２３の処理は、複写機で用紙が排出された場合とは、トラブルが回復した場合であることに基づいている。
【００３０】
緊急発信フラグ又は緊急回復発信フラグがＯＮにセットされると、通信処理が実行されて、センターのＣＰＵ９１へ、接続されている通信回線を介して（タイプＤＴ１の複写機管理装置の場合）又は電子メールにより（タイプＤＴ２の複写機管理装置の場合）、トラブルデータ（緊急発信フラグがオンの場合）又はトラブル回復データ（緊急回復発信フラグがオンの場合）が送信される。
【００３１】
[3-3-2] 警告発信判定．
本処理では、警告発信と警告解除発信が管理される。
ステップＳ２０１〜Ｓ２２７は、エレメントデータの値が固有の許容範囲を外れた場合に警告発信を、また、許容範囲に復帰した場合に警告解除発信を、それぞれ実行させるための処理である。
【００３２】
まず、エレメントデータの種別を示す項目番引に、初期値“１”がセットされる（ステップＳ２０１）。
次に、ステップＳ２１１で、項目番号ｉで指定されるエレメントデータ（初回は、第１項目のエレメントデータ）に関する警告フラグが判定される。その結果、当該エレメントデータに関する警告フラグがＯＦＦであれば（ステップＳ２１１でＹＥＳの場合）、該エレメントデータの値が、該エレメントデータに固有の許容範囲内にあるか否か、換言すれば、上限閾値ｉU 以下、かつ、下限閥値ｉL 以上の範囲内にあるか否かが判定され、上記許容範囲を外れている場合は（ステップＳ２１３でＹＥＳ、又はステップＳ２１５でＹＥＳの場合）、該エレメントデータに関する警告フラグＦｉと警告発信フラグとが、それぞれＯＮにセットされる（ステップＳ２１７）。これにより通信処理が実行されて、センターへの警告データの送信が行われる。
【００３３】
一方、ステップＳ２１１で、項目番号ｉで指定されるエレメントデータの警告フラグがＯＮの場合は（ステップＳ２１１でＮＯの場合）、該エレメントデータの値が上記許容範囲内に復帰したか否かが判定され、復帰した場合には（Ｓ２２１でＹＥＳ，且つ，Ｓ２２３でＹＥＳの場合）、該エレメントデータに関する警告フラグＦｉがＯＦＦにリセットされ、且つ、警告解除発信フラグがＯＮにセットされる（ステップＳ２２５）。これにより通信処理が実行されて、センターへの警告解除データの送信が行われる。
以上の処理が、すべてのエレメントデータに関して行われると（ステップＳ２２７でＹＥＳの場合）、ステップＳ２３１以下の処理が実行される。
【００３４】
ステップＳ２３１〜Ｓ２４５は、ＪＡＭカウンタ及びＰＭカウンタのカウント値が、固有の閾値を超えた場合に警告発信を、閾値以下に復帰した場合に警告解除発信を、それぞれ実行させるための処理である。
まず、ＪＡＭカウンタやＰＭカウンタの種別を示す項目番号ｍに、初期値“ｉ（エレメントデータの最終項目番号の値＋１）”がセットされる（ステップＳ２３１）。
【００３５】
次に、ステップＳ２３３で、項目番号ｍで指定されるＪＡＭカウンタ又はＰＭカウンタに関する警告フラグが判定される。その結果、当該ＪＡＭカウンタ又はＰＭカウンタに関する警告フラグがＯＦＦであれば（ステップＳ２３３でＹＥＳの場合）、カウント値が、当該カウンタに固有の許容範囲内にあるか、即ち、閾値ｍを超えていないか否かが判定され、超えている場合は（ステップＳ２３５でＹＥＳの場合）、当該カウンタの警告フラグＦｍと警告発信フラグとが、それぞれＯＮにセットされる（ステップＳ２３７）。これにより、通信処理が実行されて、センターのＣＰＵ９１へ警告データの送信が行われる。
【００３６】
一方、前記ステップＳ２３３で、項目番号ｍで指定されるＪＡＭカウンタ又はＰＭカウンタに関する警告フラグがＯＮであれば（ステップＳ２３３でＮＯの場合）、カウント値が上記閾値以下に復帰したか否かが判定され、復帰した場合には（ステップＳ２４１でＹＥＳの場合）、当該カウンタに関する警告フラグＦｍがＯＦＦにリセットされ、また、警告解除発信フラグがＯＮにセットされる。これにより、通信処理が実行されて、センターのＣＰＵ９１へ警告解除データの送信が行われる。
上記の処理が、全てのＪＡＭカウンタとＰＭカウンタに関して行われると（ステップＳ２４５でＹＥＳの場合）、メインルーチンに戻る。
以上のように、警告発信と警告解除発信が管理される。
【００３７】
[3-3-3] ＰＭ発信判定．
本処理では、ＰＭ発信が管理される。
まず、ＰＭカウンタの種別を示す項目番引に初期値“１”がセットされる（ステップＳ３０１）。次に、ステップＳ３０３〜Ｓ３１１の処理が実行され、その後、ｉの値がインクリメントされて（ステップＳ３１３）、上記処理が繰り返される。すなわち、ＰＭカウンタの種別を変えて上記処理が繰り返される。
【００３８】
ステップＳ３０３〜Ｓ３１１は、ＰＭカウンタがクリアされた場合に（ステップＳ３０５でＹＥＳ、且つ、ステップＳ３０７でＹＥＳの場合）、該ＰＭカウンタのクリア直前のカウント値を保存して（ステップＳ３０９）、ＰＭ発信フラグをＯＮにセットする（ステップＳ３１１）ための処理である。なお、ＰＭカウンタのクリアは、該ＰＭカウンタに対応する部品を交換する際にサービスマンによって行われる。また、ＰＭ発信フラグがＯＮにセットされると（ステップＳ３１１）、通信処理が実行され、センターへＰＭデータ（交換された部品の種別とその交換直前のカウント値）の送信が行われる。
【００３９】
[3-3-4] 通信処理．
タイプＤＴ１の複写機管理装置では、図１２〜図１３の処理が行われて、センターの集中管理装置との通信回線が接続されて、データ通信が行われる。タイプＤＴ２の複写機管理装置では、図１４の処理が行われて、センターの集中管理装置へ電子メール（パケットデータ）が送信される。
【００４０】
[3-3-4-1] タイプＤＴ１の場合．
タイプＤＴ１の複写機管理装置に於いて何れかの発信フラグがオンにセットされると、センターの集中管理装置との電話回線が接続されて、オンにセットされた発信フラグに対応するデータが送信される。また、センターの集中管理装置からのデータの受信が行われる。
【００４１】
まず、何れかの発信フラグがＯＮにセットされると（ステップＳ４０１でＹＥＳの場合）、リダイヤル待機中でないこと（ステップＳ４０３でＮＯ）、センター側のモデム７２との電話回線が接続されていないこと（ステップＳ４０５でＮＯ）、内蔵しているモデム５２に対してセンター側のモデム７２の呼び出しを指令した後の待機中でないこと（ステップＳ４０７でＮＯ）を条件として、内蔵モデム５２に対して、センター側のモデム７２を呼び出すべき旨が指令される（ステップＳ４０９）。
【００４２】
上記ステップＳ４０９での処理の結果、例えば電話回線に併設された電話器等が『使用中』であり、センター側のモデム７２の呼び出しを実行できない場合には（ステップＳ４１１でＹＥＳの場合）、リダイヤル時刻として一定時間後の時刻が設定される（ステップＳ４１３）。これにより、上記リダイヤル時刻になるまで、前記ステップＳ４０３での判定は“ＹＥＳ”となる。即ち、上記ステップＳ４０９の処理は実行されない。上記リダイヤル時刻になると、再び内蔵モデム５２に対して、センター側のモデム７２を呼び出すべき旨が指令される（ステップＳ４０９）。
【００４３】
前記ステップＳ４０９の処理により、モデム５２から電話回線網にセンターの選択信号が送出された結果、センター側のモデム７２が『話し中（モデム７２との接続はなされてもＣＰＵ９１からの応答が無い場合を含む）』であると判定した場合も（ステップＳ４１５でＹＥＳの場合）、上記と同様にしてリダイヤル時刻が設定され（ステップＳ４１３）、設定されたリダイヤル時刻になると、再び上記ステップＳ４０９の処理が実行される。
【００４４】
前記ステップＳ４０９の処理により、モデム５２から電話回線網にセンターの選択信号が送出され、その結果、センター側のモデム７２との電話回線が接続されると（ステップＳ４０５でＹＥＳ）、モデム５２のレディの待機後（ステップＳ４２１でＹＥＳの場合）、ＯＮにセットされた発信フラグに対応するデータがセンター側へ送信される（ステップＳ４２５）。
【００４５】
次に、センター側へ送信すべきデータが無くなると（ステップＳ４２３でＮＯの場合）、センター側から送信されてくるデータが受信される（ステップＳ４３１）。センター側でのデータの送信処理については、図１６で述べる。
受信されるデータは、例えば、複写機の設定条件を変更させるための命令（設定変更命令）、複写機の動作を要求する命令（動作命令）、現在時刻、次回の定時発信日時刻、次回の締日発信日時刻等である。なお、通信エラーが発生した場合には、データの再送命令が受信される。
【００４６】
上記ステップＳ４３１で、設定変更命令又は動作命令が受信された場合は、該命令に対応するコマンドとパラメータを、シリアルＩ／Ｆ１２とシリアルｌ／Ｆ４２とを介して、複写機のＣＰＵ４１へ送信する（ステップＳ４３３）。
なお、複写機側では、前述のように、図６（ｂ）のステップＳ４３で、上記のコマンドに対応する処理が実行される。
【００４７】
また、上記のようにセンター側からのデータが受信された場合において、当該データが、複写機での処理を待機する必要のあるデータであった場合（ステップＳ４３５でＹＥＳの場合）、そのまま、集中管理装置との電話回線の接続状態が維持される。複写機での処理の終了を待機する必要のある場合とは、例えば、現像器を動作させてトナー濃度を検出したい場合のように、比較的短期間で結果を得ることができる場合である。この待機後、複写機側からデータが送信されて来ると（ステップＳ４２３でＹＥＳの場合）、そのデータが、センター側へ送信される（ステップＳ４２５）。
【００４８】
一方、複写機の処理の終了を待機する必要の無い場合は（ステップＳ４３５でＮＯの場合）、発信フラグがＯＦＦにリセットされ（ステップＳ４４１）、その後、通信回線が切断される（ステップＳ４４３）。
以上のように、タイプＤＴ１の複写機管理装置では、センターの集中管理装置との電話回線の接続状態を維持してデータ通信が行われる。
【００４９】
[3-3-4-2] タイプＤＴ２の場合．
タイプＤＴ２の複写機管理装置に於いて何れかの発信フラグがオンにセットされると、その発信フラグに対応する内容のデータを、センターの集中管理装置へ電子メール（パケットデータ）として送信する処理が実行される。また、センターの集中管理装置からの電子メールを読み取る処理が実行される。
【００５０】
まず、何れかの発信フラグがＯＮにセットされると（ステップＳ５０１でＹＥＳの場合）、ＯＮにセットされた発信フラグに対応するデータが、センター側へ電子メールとして送信される（ステップＳ５１１）。その後、発信フラグがＯＦＦされる（ステップＳ５１３）。なお、メールの送信に失敗した場合は、メールの再送処理が実行される（図示せず）。
【００５１】
ステップＳ５２１では、当該複写機管理装置宛ての電子メールが届いているか否かを、メールサーバ３３から読み取る。当該複写機管理装置宛ての電子メールが届いていた場合は（ステップＳ５２３でＹＥＳの場合）、メールサーバ３３から該メールを読み出して、その内容を解析する（ステップＳ５３１）。電子メールの内容としては、例えば、複写機の設定条件を変更させるための命令（設定変更命令）、複写機の動作を要求する命令（動作命令）、現在時刻、次回の定時発信日時刻、次回の締日発信日時刻等がある。
当該複写機管理装置宛てのメールが届いていない場合は（ステップＳ５２３でＮＯの場合）、メール送受信処理を終了する。
【００５２】
上記ステップＳ５３１での解析の結果、設定変更命令又は動作命令が含まれていた場合は（ステップＳ５３３でＹＥＳの場合）、該命令に対応するコマンドとパラメータを、シリアルＩ／Ｆ１２とシリアルＩ／Ｆ４２とを介して、ＣＰＵ４１へ送信する（ステップＳ５４１）。これにより、複写機側では、前述のように上記のコマンドに対応する処理が実行される。上記ステップＳ５３１での解析の結果、設定変更命令も動作命令も含まれていない場合は（ステップＳ５３３でＮＯの場合）、メール送受信処理を終了する。
以上のように、タイプＤＴ２の複写機管理装置では、電子メールの送受信により、センターの集中管理装置とのデータの送受が行われる。
【００５３】
[3-4] 集中管理装置での処理．
図１５〜図１８のフローチャートを参照して、センターの集中管理装置での処理を説明する。
[3-4-1] Ｆ１〜Ｆ７キー処理．
集中管理装置のＣＰＵ９１は電源の投入により処理をスタートし、まず、モデムやプリンタ等の環境設定を実行する（ステップＳ６１）。モデム７２の環境設定では、例えばダイヤルモード，自動着信する／しない、といった設定が成される。その後、Ｆｌ〜Ｆ７の各キーの入力操作に応じて下記のモードの設定し、又は下記の処理を実行する。
【００５４】
（ａ）Ｆｌキー操作．
機種登録の受付モードが設定される（ステップＳ６５）。即ち、機種名、エレメントデータの項目数、各エレメントデータの名称、各エレメントデータの標準閾値、各カウントデータの標準閾値等の新規登録を受け付ける。
（ｂ）Ｆ２キー操作．
ユーザマスターの登録受付モードが設定される（ステップＳ６９）。即ち、ユーザ名称，住所，電話番号，機種名，機番，定時発信日時等の新規登録を受け付ける。また、複写機管理装置のＩＤ（ＤＴＩＤ）が自動的に設定される。
また、複写機を管理している複写機管理装置のタイプ（タイプＤＴ１／タイプＤＴ２）の何れかが設定される。
（ｃ）Ｆ３キー操作．
トラブル状況が表示される（ステップＳ７３）。即ち、緊急発信を行った複写機のユーザ情報（ユーザ名称，住所，電話番号，機種名）、トラブルの発生日時等が、トラブル内容とともに、ディスプレイ９２に表示される。なお、Ｆ３キーの操作とは無関係に、ディスプレイ９２の隅には、トラブル件数が常時表示されている。
（ｄ）Ｆ４キー操作．
警告状況が表示される（ステップＳ７７）。即ち、警告発信された複写機のユーザ情報等が、警告内容とともに、ディスプレイ９２に表示される。なお、Ｆ４キーの操作とは無関係に、デイスプレイ９２の隅には、警告件数が常時表示されている。
（ｅ）Ｆ５キー操作．
未受信状況が表示される（ステップＳ８１）。すなわち、後述する未受信判定処理（図１８）により、定時発信のデータが未受信であると判定された複写機のユーザ情報が、ディススプレイ９２に表示される。なお、Ｆ４キーの操作とは無関係に、ディスプレイ９２の隅には、未受信件数が常時表示されている。
（ｆ）Ｆ６キー操作．
ユーザデータの表示モードとなる（ステップＳ８５）。即ち、ユーザを選択すると、ディスプレイ９２にユーザ情報が表示される。また、サブメニューを選択すると、該ユーザ複写機の各種カウンタ（トータルカウンタ，用紙サイズ別カウンタ，ＪＡＭカウンタ，トラブルカウンタ，ＰＭカウンタ）のカウント値と、エレメントデータが、月別、または、項目別に表示される。
（ｇ）Ｆ７キー操作．
請求書のプリントアウトが行われる（ステップＳ８９）。集中管理装置に接続されているプリンタが起動されて、トータルカウンタのカウント値と所定の計算式とに基づいて算出したコピー請求金額が、プリントアウトされる。
【００５５】
[3-4-2] タイプＤＴ１とのデータ送受信．
図１６は、タイプＤＴ１の複写機管理装置との電話回線が接続されている状態でのデータの送受信処理を示す。この処理は、着信割り込みで起動される。
【００５６】
着信割り込みが発生すると、ＣＰＵ９１は、複写機管理装置側から送信されて来るデータを順次受信して、該受信したデータに所定の処理を施す（ステップＳ６００）。まず、ＤＴＩＤとデータの受信処理を行う（ステップＳ６０１）。なお、通信エラーが発生した場合は（ステップＳ６０３でＹＥＳの場合）、複写機管理装置に対してデータの再送を要求する（ステップＳ６３１）。
受信処理が終了すると（ステップＳ６０５でＹＥＳの場合）、項目別・月別の集計を行ない、オペレータ選択（図１５のステップＳ８５参照）による画面表示用のデータを作成する（ステップＳ６１１）。
【００５７】
今回の通信が定時発信に基づく場合であれば、次回の定時発信日時刻、締日発信日時刻、現在時刻の各データを、複写機管理装置へ送信する（ステップＳ６１３）。その後、複写機管理装置側から折り返してデータが送信されて来なかった場合は（ステップＳ６１５でＮＯの場合）、通信回線の切断処理を実行する（ステップＳ６２１）。これにより、割り込み処理が終了する。なお、ステップＳ６１５で、複写機管理装置側から折り返してデータが送信されて来た場合は、再びデータの受信処理を行う（ステップＳ６０１）。
【００５８】
[3-4-3] タイプＤＴ２とのデータの送受．
図１７は、タイプＤＴ２の複写機管理装置から送信された来たデータを取り込み、必要に応じて、当該複写機管理装置へデータを送信する処理を示す。
【００５９】
まず、センター側のメールサーバ８３に、集中管理装置宛ての電子メールが届いているか否かを読み取る（ステップＳ７０１）。届いていた場合は（ステップＳ７０３でＹＥＳの場合）、メールサーバ８３から該メールを読み出して、項目別・月別の集計を行い、オペレータ選択（図１５のステップＳ８５参照）による画面表示用のデータを作成する（ステップＳ７１１）。届いていない場合は（ステップＳ７０３でＮＯの場合）、ステップＳ７２１に進む。
【００６０】
ステップＳ７２１では、タイプＤＴ２の複写機管理装置へ送信すべきデータの有無を検査する。複写機管理装置へ送信するデータとしては、例えば、複写機の設定条件を変更させるための命令（設定変更命令）、複写機の動作を要求する命令（動作命令）、現在時刻、次回の定時発信日時刻、次回の締日発信日時刻等である。タイプＤＴ２の複写機管理装置へ送信すべきデータがある場合は（ステップＳ７２１でＹＥＳの場合）、該データを電子メールとして送信する（ステップＳ７３１）。送信すべきデータが無い場合は、メール送受信処理を終了する。
なお、メールの送信に失敗した場合には、メールの再送処理が実行される（図示せず）。
【００６１】
[3-4-4] 未受信判定．
複写機を管理している複写機管理装置が、複写機毎に設定されている定時になると集中管理装置へ送信すべきデータが、該定時から或る許容時間内に届いたか否かを集中管理装置が調べて、届いていない場合に、その複写機を『未受信複写機』と判定する処理を、図１８のフローチャートを参照して説明する。なお『未受信複写機』と判定された複写機については、なんらかの異常が発生したものと見做して、例えば、電話での問い合わせや、その結果に応じてサービスマンの派遣等の対応が行われる。
【００６２】
まず、集中管理装置の管轄下の全複写機について未受信判定を行うためのインデックスｉに、初期値１をセットする（ステップＳ８０１）。
【００６３】
次に、インデックスｉが集中管理装置の管轄下の複写機の台数以内か否かを検査する（ステップＳ８０３）。管轄下にある台数以内であれば（ステップＳ８０３でＹＥＳ）、複写機ｉに対して送信済みである次回の定時発信日時刻Ｔniを取得する（ステップＳ８１１）。
【００６４】
次に、複写機ｉを管理している複写機管理装置のタイプを検査する（ステップＳ８１３）。その結果、タイプＤＴ１であれば（ステップＳ８１３でＹＥＳの場合）、未受信閾値Ｔt （請求項等で言及の許容時間）としてＴt1をセットする（ステップＳ８２１）。また、タイプＤＴ２であれば（ステップＳ８１３でＮＯの場合）、未受信閾値Ｔt としてＴt2をセットする（ステップＳ８３１）。
【００６５】
公衆電話回線を利用して端末間を直接的に接続してデータを送受信するタイプＤＴ１では、リアルタイム性はかなり高い。これに対して、インターネットを利用した電子メール（パケットデータ）を転送するタイプＤＴ２では、送信された電子メールが複数のコンピュータをバケツリレー式に転送されて受信者に届くため、リアルタイム性という点では劣る場合がある。つまり、経路上での障害によって、メールの到着が遅れる場合がある。しかしながら、若干程度の遅れは、インターネットメールでは正常の範囲内である。このことを考慮して、タイプＤＴ１の複写機管理装置からの定時送信の遅れの許容時間（未受信閾値Ｔt1）としては、タイプＤＴ２の複写機管理装置からの定時送信の遅れの許容時間（未受信閾値Ｔt2）よりも短い値を設定する。つまり、Ｔt1＜Ｔt2とする。具体的には、例えば、Ｔt1＝１時間、Ｔt2＝２４時間程度とする。
【００６６】
複写機ｉの次回発信日時刻Ｔniに、上記のように決定したＴｔを加算した日時刻が、現在日時刻を越えているか否かを検査する（ステップＳ８４１）。その結果、現在日時を適えている場合（ステップＳ８４１でＹＥＳの場合）は、該複写機ｉからの定時発信が未受信であると判定する（ステップＳ８５１）。一方、越えていない場合は（ステップＳ８４１でＮＯの場合）は、未受信でないと判定する（ステップＳ８６１）。
【００６７】
ステップＳ８７１では、インデックスｉをインクリメントする。次に、ステップＳ８０３に戻り、集中管理装置の管轄下にある全ての複写機についての判定が終了するまで、上記の処理を繰り返して実行する。
【００６８】
上記では、各複写機にそれぞれ次回の定時送信時刻を与えておき、或るタイミングで管轄下の全ての複写機について未受信か否かを調べており、且つ、調べる方法として『次回の定時＋当該複写機の許容時間』が現在時刻を越えているか否かを調べているが、本発明は、このような処理に限定されない。例えば、各複写機毎に『定時＋当該複写機の許容時間』の時刻表を作成しておき、その時刻になると、その複写機の定時のデータの受信の有無を調べてもよい。
【００６９】
また、上記では、各複写機の許容時間（未受信閾値Ｔt ）を、その都度、当該複写機を管理している複写機管理装置のタイプを調べて設定しているが、その都度タイプを調べて許容時間を設定するのではなく、許容時間自体を対応付けておいたり、さらには、『次回の定時＋当該複写機の許容時間』を対応付けておいてもよい。
【００７０】
また、集中管理装置が管轄下の複写機管理装置のタイプを把握する方法としては、キー入力による他、例えば、前回電子メールを受信した場合には、その複写機管理装置をタイプＤＴ２として管理し、前回電話回線の接続状態でデータを受信した場合にはタイプＤＴ１として管理する方法等でもよい。
【００７１】
[3-4-5] 定時発信日時刻の設定．
定時発信日時刻を設定する方法について説明する。
例えば、或る特定の日に於いて、管轄下の全ての複写機からのデータを受信しようとする場合を想定する。集中管理装置が、管轄下の全複写機について個々の複写機を管理している複写機管理装置のタイプを調べ、そのタイプに応じて定時発信日時を割り当てていく。
【００７２】
タイプＤＴ１の複写機管理装置であれば、上記特定の日の午後に定時発信日時刻を割り当てる。例えば、１つの定時送信での通信に平均して３分を要するとすれば、ＰＭ０：００から３分間隔で各複写機に発信日時刻を割り当てていく。
一方、タイプＤＴ２の複写機管理装置であれば、上記特定の日の午前中に定時発信日時刻を割り当てる。電子メールでは、厳密な時刻の割り振りは必要ないため、例えば、ＡＭ０：００から１時間間隔で、各時間帯に１００台の複写機を割り当てていくことができる。
【００７３】
【発明の効果】
本発明によると、機器に接続された機器管理装置の通信方式に応じて、未受信判定に異なる閾値（許容時間）が適用されるため、１台の集中管理装置で、通信方式が異なる機器管理装置の管理対象の複数の機器を管理する場合でも、各通信手段の特徴に応じた適切な未受信判定を行うことができる。
また、請求項４記載の発明によると、未受信であると判定する閾値の長い通信方式の機器管理装置に対して、短い通信方式の機器管理装置よりも、データの送信日時として早い日時が指定されるため、１台の集中管理装置で、通信方式が異なる機器管理装置が管理する複数の機器を管理する場合でも、所定の期間内に未受信とならないようにデータを受信できる可能性が高まる。
【図面の簡単な説明】
【図１】実施の形態のシステム構成の説明図。
【図２】図１のシステム回路構成を複写機管理装置がタイプＤＴ１の場合について示すブロック図の一部。
【図３】図１のシステム回路構成を複写機管理装置がタイプＤＴ１の場合について示すブロック図の残部。
【図４】図１のシステム回路構成を複写機管理装置がタイプＤＴ２の場合について示すブロック図の一部。
【図５】図１のシステム回路構成を複写機管理装置がタイプＤＴ２の場合について示すブロック図の残部。
【図６】（ａ）は図１のシステム中の複写機から複写機管理装置へ送信されるコードの説明図、（ｂ）は図１のシステム中の複写機の処理を示すフローチャート。
【図７】図１のシステム中の複写機管理装置の処理を示すフローチャート。
【図８】図７のフローチャートの中の緊急発信判定処理を示すフローチャート。
【図９】図７のフローチャートの中の警告発信判定処理のフローチャートの一部。
【図１０】図７のフローチャートの中の警告発信判定処理のフローチャートの残部。
【図１１】図７のフローチャートの中のＰＭ発信判定処理を示すフローチャート。
【図１２】図７のフローチャートの中の通信処理をタイプＤＴ１の場合について示すフローチャートの一部。
【図１３】図７のフローチャートの中の通信処理をタイプＤＴ１の場合について示すフローチャートの残部。
【図１４】図７のフローチャートの中の通信処理をタイプＤＴ２の場合について示すフローチャート。
【図１５】図１のシステム中の集中管理装置でのキー処理を示すフローチャート。
【図１６】図１のシステム中の集中管理装置でのタイプＤＴ１の複写機管理装置からの着信割り込みによる処理を示すフローチャート。
【図１７】図１のシステム中の集中管理装置でのタイプＤＴ２の複写機管理装置とのメール送受信処理を示すフローチャート。
【図１８】図１のシステム中の集中管理装置での未受信判定を示すフローチャート。
【符号の説明】
１  タイプＤＴ１の複写機管理装置
２  タイプＤＴ２の複写機管理装置
９１  集中管理装置
【図１】
0003979513.tif 000002
【図２】
0003979513.tif 000003
【図３】
0003979513.tif 000004
【図４】
0003979513.tif 000005
【図５】
0003979513.tif 000006
【図６】
0003979513.tif 000007
【図７】
0003979513.tif 000008
【図８】
0003979513.tif 000009
【図９】
0003979513.tif 000010
【図１０】
0003979513.tif 000011
【図１１】
0003979513.tif 000012
【図１２】
0003979513.tif 000013
【図１３】
0003979513.tif 000014
【図１４】
0003979513.tif 000015
【図１５】
0003979513.tif 000016
【図１６】
0003979513.tif 000017
【図１７】
0003979513.tif 000018
【図１８】
0003979513.tif 000019